(57)【要約】【課題】ＡＬＣパネルの取付施工が容易でこのＡＬＣパネルを鉄骨柱に定置することができ、しかも取付施工時にＡＬＣパネルを欠損することがなくＡＬＣパネルの取付強度が優れた鉄骨柱の耐火被覆構造を提供するを提供する。【解決手段】断面Ｌ字型で一方の辺に延出部を形成した取付金具を、鉄骨柱の相対する面の両側隅部に、それぞれの延出部が対向するように固設し、取付金具の対向する延出部間に嵌挿した一対のＡＬＣパネルの小口面に、取付金具の延出部を介してタッピングビスまたはスクリュウを締め込むことにより、ＡＬＣパネルを鉄骨柱の相対する二面に配設する。そして、前記ＡＬＣパネルの小口面を覆うように配置した他の一対のＡＬＣパネルの表面から、取付金具の延出部を介してこれら取付金具と鉄骨柱との間の隙間へとスクリュウを締め込むことにより、これら他の一対のＡＬＣパネルを鉄骨柱の他の相対する二面に配設してなる鉄骨柱の耐火被覆構造。【選択図】図１
2006291579.tif 000002
【特許請求の範囲】
【請求項１】
鉄骨柱の外周を軽量気泡コンクリートパネルで被覆してなる鉄骨柱の耐火被覆構造であって、
断面Ｌ字型で一方の辺に延出部を形成した取付金具を、前記鉄骨柱の相対する面の両側隅部に、それぞれの延出部が対向するように固設し、前記取付金具の対向する延出部間に嵌挿した一対の軽量気泡コンクリートパネルの小口面に、前記取付金具の延出部を介してタッピングビスまたはスクリュウを締め込むことにより、これら一対の軽量気泡コンクリートパネルを前記鉄骨柱の相対する二面に配設すると共に、前記一対の軽量気泡コンクリートパネルの小口面を覆うように配置した他の一対の軽量気泡コンクリートパネルの表面から、前記取付金具の延出部を介してこれら取付金具と前記鉄骨柱との間の隙間へとタッピングビスを締め込むことにより、これら他の一対の軽量気泡コンクリートパネルを前記鉄骨柱の他の相対する二面に配設してなることを特徴とする鉄骨柱の耐火被覆構造。
【発明の詳細な説明】
【技術分野】
【０００１】
本発明は、鉄骨柱の外周を軽量気泡コンクリートパネルで被覆してなる鉄骨柱の耐火被覆構造に関するものであり、さらに詳しくは、軽量気泡コンクリートパネルの取付施工が容易でこのパネルを鉄骨柱に定置することができ、しかも取付施工時に軽量気泡コンクリートパネルを欠損することがなくパネルの取付強度が優れた鉄骨柱の耐火被覆構造に関するものである。
【背景技術】
【０００２】
建物躯体に鉄骨柱を使用した建築物においては、鉄骨柱の周囲を軽量気泡コンクリートパネル（以下、ＡＬＣパネルと呼ぶ）で被覆することにより耐火構造とすることがよく行われている。
【０００３】
このような鉄骨柱の耐火被覆構造の構成手段としては、鉄骨柱の周囲にＡＬＣパネルを接着剤で貼り付ける方法がとられてきたが、この方法では、接着剤の使用による環境汚染や施工後の耐久性に劣るという問題があったため、最近では、取付金具を使用し、この取付金具を介してＡＬＣパネルを鉄骨柱にビス止めする工法（例えば、特許文献１参照）が主に採用されている。
【０００４】
すなわち、この従来の鉄骨柱の耐火被覆構造は、図４に示したように、鉄骨柱１の相対する面の四隅に、プレート状の取付金具４をその基端部が溶接点Ａとなるように溶接固定しておき、まず対向する一対のＡＬＣパネル２，２を取付金具４間に嵌挿し、取付金具４に設けたビス孔４ａを介してＡＬＣパネル２，２の各小口面２ａ，２ａにスクリュウ５を締め込んだ後、これら一対のＡＬＣパネル２，２の各小口面を覆うようにして他の一対のＡＬＣパネル３，３を配置して、これら他の一対のＡＬＣパネル３，３の表面側から、各取付金具４を介して前記一対のＡＬＣパネル２，２の各小口面２ａ，２ａへかけて、タッピングビス６ａ，６ｂを締め込むことにより構成されたものである。
【０００５】
この耐火被覆構造によれば、ＡＬＣパネルの取付施工が容易でＡＬＣパネルを鉄骨柱に定置することができるという利点が得られるものの、一対のＡＬＣパネル２，２の各小口面２ａ，２ａに複数のスクリュウ５やタッピングビス６ａ，６ｂが締め込まれるため、これらスクリュウやタッピングビスの締め込み位置の集中によって、ＡＬＣパネル２，２に割れや欠けなどの欠損が発生しやすく、この欠損が経時的に発展することから、取付強度の信頼性を欠くという問題があった。
【０００６】
上記割れや欠けなどの欠損を減らすためには、取付金具４を長幅として、スクリュウ５やタッピングビス６ａ，６ｂの締め込み間隔を大きくとることが考えられるが、この場合には取付金具４の重量が増加するため、コストアップになるとともに取付金具４がＡＬＣパネル２から脱落しやすくなるという新たな問題を生じていた。
【特許文献１】特開２０００−３４７９１号公報
【発明の開示】
【発明が解決しようとする課題】
【０００７】
本発明は、上述した従来技術における問題点の解決を課題として検討した結果達成されたものである。
【０００８】
したがって、本発明の目的は、ＡＬＣパネルの取付施工が容易でこのＡＬＣパネルを鉄骨柱に定置することができ、しかも取付施工時にＡＬＣパネルを欠損することがなくＡＬＣパネルの取付強度が優れた鉄骨柱の耐火被覆構造を提供することにある。
【課題を解決するための手段】
【０００９】
上記の目的を達成するために本発明によれば、
鉄骨柱の外周をＡＬＣパネルで被覆してなる鉄骨柱の耐火被覆構造であって、断面Ｌ字型で一方の辺に延出部を形成した取付金具を、前記鉄骨柱の相対する面の両側隅部に、それぞれの延出部が対向するように固設し、前記取付金具の対向する延出部間に嵌挿した一対のＡＬＣパネルの小口面に、前記取付金具の延出部を介してタッピングビスまたはスクリュウを締め込むことにより、これら一対のＡＬＣパネルを前記鉄骨柱の相対する二面に配設すると共に、前記一対のＡＬＣパネルの小口面を覆うように配置した他の一対のＡＬＣパネルの表面から、前記取付金具の延出部を介してこれら取付金具と前記鉄骨柱との間の隙間へとタッピングビスを締め込むことにより、これら他の一対のＡＬＣパネルを前記鉄骨柱の他の相対する二面に配設してなることを特徴とする鉄骨柱の耐火被覆構造が提供される。
【発明の効果】
【００１０】
本発明によれば、以下に説明するとおり、ＡＬＣパネルの取付施工が容易でこのＡＬＣパネルを鉄骨柱に定置することができ、しかも取付施工時にＡＬＣパネルを欠損することがなくＡＬＣパネルの取付強度が優れた鉄骨柱の耐火被覆構造を得ることができる。
【発明を実施するための最良の形態】
【００１１】
以下、図面を用いて本発明を具体的に説明する。
【００１２】
図１は本発明の鉄骨柱の耐火被覆構造の一例を示す斜視説明図、図２は本発明で用いる取付金具の一例を示す斜視説明図、図３は図１の隅部の拡大平面である。
【００１３】
ここで、図１においては、断面正方形の鉄骨柱１０を、幅が異なる２組の短幅ＡＬＣパネル２０および２組の長幅ＡＬＣパネル２１で被覆した構造を示しているが、鉄骨柱１０は断面長方形であってもよい。
【００１４】
図１に示したように、本発明の鉄骨柱の耐火被覆構造は、断面Ｌ字型で一方の面に延出部３１を形成した取付金具３０を、鉄骨柱１０の相対する面の両側隅部に、それぞれの延出部３１が対向するように固設し、取付金具３０の対向する延出部３１間に嵌挿した一対のＡＬＣパネル（短幅パネル）２０，２０の各小口面２０ａに、取付金具３０の延出部３１を介してスクリュウ４０を締め込むことにより、これら一対の短幅パネル２０，２０を、鉄骨柱１０の相対する二面に配設する。そして、短幅パネル２０，２０の各小口面２０ａを覆うように配置した他の一対のＡＬＣパネル（長幅パネル）２１，２１の表面から、取付金具３０の延出部３１を介してこれら取付金具３０と鉄骨柱１０との間の隙間６０へとタッピングビス５０を締め込むことにより、これら長幅パネル２１，２１を鉄骨柱１０の他の相対する二面に配設することにより構成したものである。
【００１５】
ここで、本発明で使用する取付金具３０は、図２に示したように、辺３２，３３からなる断面Ｌ字型の金具であり、一方の辺３２に延出部３１が形成されたものである。そして、辺３２，３３は、鉄骨柱１０の四隅に溶接、接着などの手段で固着される部分であり、延出部３１には好ましくはスクリュウ４０用のビス孔３４が形成されており、このビス孔３４の他の部分には、タッピングビス５０が締め込まれるようになっている。また、図１の各短幅パネル２０，２０の各小口面２０ａに対向して固設される取付金具３０は、延出部３１の延出方向がそれぞれ対象構造となっている。
なお、ビス孔３４が設けられていない場合は、タッピングビスを用いれば良い。
【００１６】
そして、本発明の耐火被覆構造においては、図３に示したように、鉄骨柱１０の各隅部において、短幅パネル２０の小口面２０ａにはスクリュウ４０が一本締め込まれるだけであり、長幅パネル２１の表面側から締め込まれるタッピングビス５０の先端５０ａは、短幅パネル２０の小口面２０ａには締め込まれることなく、取付金具３０と鉄骨柱１０との間の隙間６０で留まっている。
【００１７】
したがって、短幅パネル２０の小口面２０ａには割れや欠けなどの欠損が発生することがなく、また従来に比べてタッピングビス５０が長幅パネル２１の幅方向中央寄りの位置に締め込まれるため、この長幅パネル２１の端部においても、割れや欠けなどの欠損を生じることがない。
【００１８】
さらに、取付金具３０が鉄骨柱１０の二表面に固設されているため、長幅パネル２１の表面からタッピングビス５０が締め込まれたとしても、取付金具３０がたわむことがないばかりか、スクリュウ４０の締め込み位置が短幅パネル２０の小口面２０ａの内側各部に集中しないため、その部分での欠損発生がより効果的に解消する。
【産業上の利用可能性】
【００１９】
よって、本発明によれば、ＡＬＣパネルの取付施工が容易でこのＡＬＣパネルを鉄骨柱に定置することができ、しかも取付施工時にＡＬＣパネルを欠損することがなくＡＬＣパネルの取付強度が優れた鉄骨柱の耐火被覆構造を得ることができるため、ＡＬＣパネルを用いる建築分野へ貢献するところが大きいといえる。
【図面の簡単な説明】
【００２０】
【図１】本発明の鉄骨柱の耐火被覆構造の一例を示す斜視説明図である。
【図２】本発明で用いる取付金具の一例を示す斜視説明図である。
【図３】図１の隅部の拡大平面である。
【図４】従来の鉄骨柱の耐火被覆構造の一例を示す斜視説明図である。
【符号の説明】
【００２１】
１０      鉄骨柱
２０      ＡＬＣパネル（短幅パネル）
２０ａ    小口面
２１      ＡＬＣパネル（長幅パネル）
３０      取付金具
３１      延出部
３２      辺
３３      辺
３４      ビス孔
４０      スクリュウ
５０      タッピングビス
６０      空隙
【図１】
2006291579.tif 000003
【図２】
2006291579.tif 000004
【図３】
2006291579.tif 000005
【図４】
2006291579.tif 000006